(57)【要約】【課題】木材の着色方法等を塗布方式から含浸方法にして好適に薬剤処理し得る木材の処理方法、木材の処理方法に用いる樹水の取得方法、木材の処理方法に用いる樹水、木材の処理方法に用いる添加水、木材の処理方法により作成された処理木材を提供する。【解決手段】木材を乾燥して生じる処理水に、薬剤を加えて添加水を作成する工程（Ｓ４）と、乾燥した木材に添加水を加えて加圧する工程（Ｓ７〜Ｓ９）とを備え、木材に薬剤を含浸させて木材を薬剤処理する。【選択図】図１
2007045053.tif 000002
【特許請求の範囲】
【請求項１】
木材を乾燥して生じる樹水に、薬剤を加えて添加水を作成する工程と、乾燥した木材に添加水を加えて加圧する工程とを備え、木材に薬剤を含浸させて木材を薬剤処理することを特徴とする木材の処理方法。
【請求項２】
乾燥した木材に添加水を加える前に、及び／又は添加水を加えた後に、圧を増減する工程を備えることを特徴とする請求項１記載の木材の処理方法。
【請求項３】
添加水を、樹水と粉末の薬剤とから作成する工程を備えることを特徴とする請求項１又は２記載の木材の処理方法。
【請求項４】
薬剤を、着色剤及び／又は不燃剤にしたことを特徴とする請求項１〜３のいずれかに記載の木材の処理方法。
【請求項５】
木材を低温乾燥装置により乾燥して樹水を取得する樹水の取得方法であって、前記低温乾燥装置は、木材を搬入し得る乾燥室と、該乾燥室を低温で乾燥可能な温度に加熱する加熱手段と、前記乾燥室内へ熱風を送風する送風手段と、前記乾燥室の側面を構成すると共に木製の板面を用いて木の材質の調湿性により乾燥室内の水分を外部へ放出し得るパネル体と、前記乾燥室を取り囲む外室と、外部へ放出された水分を樹水として取得し得るよう前記乾燥室と外室の間に配置された採取手段とを備えることを特徴とする樹水の取得方法。
【請求項６】
パネル体は、木製の板面で内側面と外側面を構成すると共に、内側面と外側面の間にダンボール材を隙間なく積層し、内側面と外側面の間に生じる水分を吸収、伝達し、乾燥室内の水分を外部へ放出して木材の乾燥と共に、パネル体の乾燥回復を為し得るよう構成されたことを特徴とする請求項５記載の樹水の取得方法。
【請求項７】
木材を低温乾燥装置により乾燥して取得される樹水であって、
前記低温乾燥装置は、木材を搬入し得る乾燥室と、該乾燥室を低温で乾燥可能な温度に加熱する加熱手段と、前記乾燥室内へ熱風を送風する送風手段と、前記乾燥室の側面を構成すると共に木製の板面を用いて木の材質の調湿性により乾燥室内の水分を外部へ放出し得るパネル体と、前記乾燥室を取り囲む外室と、外部へ放出された水分を採取するよう前記乾燥室と外室の間に配置された採取手段とを備え、
前記採取手段で採取された水分により構成されたことを特徴とする樹水。
【請求項８】
木材を乾燥して生じる樹水に薬剤を加え、前記薬剤を木材に含浸させるよう作成されたことを特徴とする添加水。
【請求項９】
木材を乾燥して生じる樹水に、薬剤を加えて作成する添加水により、薬剤を含浸させて構成されたことを特徴とする処理木材。
【請求項１０】
乾燥した木材に添加水を加えて加圧する含浸釜であって、内部への吹出口を備えて断続して内部に水圧をかけるよう構成されたことを特徴とする含浸釜。
【発明の詳細な説明】
【技術分野】
【０００１】
本発明は、木材を着色処理や不燃処理する木材の処理方法、木材の処理方法に用いる樹水の取得方法、木材の処理方法に用いる樹水、木材の処理方法に用いる添加水、木材の処理方法で作成された処理木材、木材の処理方法で用いる含浸釜に関するものである。
【背景技術】
【０００２】
近年、木材を不燃処理して木材の付加価値を高めることが行われている。
【０００３】
木材を不燃処理する一例としては、所定の大きさの木材を乾燥処理し、乾燥した木材を減圧下でホウ酸、リン酸、ケイ素酸等の水溶液に浸漬し、その後、木材を乾燥して不燃処理するものがある（例えば、特許文献１参照）。
【特許文献１】特開２００５−１８６６２０号公報
【発明の開示】
【発明が解決しようとする課題】
【０００４】
しかしながら、このような木材の不燃処理は、木材を好適に不燃処理することができないという問題があった。又、木材を着色する場合には、一般的な方法として木材の表面に着色剤を塗布するため、木材の表面をコーティングして木材の特性である調湿性を損うという問題があった。
【０００５】
本発明は、斯かる実情に鑑み、木材の着色方法等を塗布方式から含浸方法にして好適に薬剤処理し得る木材の処理方法、木材の処理方法に用いる樹水の取得方法、木材の処理方法に用いる樹水、木材の処理方法に用いる添加水、木材の処理方法により作成された処理木材、木材の処理方法で用いる含浸釜を提供しようとするものである。
【課題を解決するための手段】
【０００６】
本発明は、木材を乾燥して生じる樹水に、薬剤を加えて添加水を作成する工程と、乾燥した木材に添加水を加えて加圧する工程とを備え、木材に薬剤を含浸させて木材を薬剤処理することを特徴とする木材の処理方法、にかかるものである。
【０００７】
本発明は、乾燥した木材に添加水を加える前に、及び／又は添加水を加えた後に、圧を増減する工程を備えることが好ましい。
【０００８】
本発明は、添加水を、樹水と粉末の薬剤とから作成する工程を備えることが好ましい。
【０００９】
本発明は、薬剤を、着色剤及び／又は不燃剤にすることが好ましい。
【００１０】
本発明は、木材を低温乾燥装置により乾燥して樹水を取得する樹水の取得方法であって、前記低温乾燥装置は、木材を搬入し得る乾燥室と、該乾燥室を低温で乾燥可能な温度に加熱する加熱手段と、前記乾燥室内へ熱風を送風する送風手段と、前記乾燥室の側面を構成すると共に木製の板面を用いて木の材質の調湿性により乾燥室内の水分を外部へ放出し得るパネル体と、前記乾燥室を取り囲む外室と、外部へ放出された水分を樹水として取得し得るよう前記乾燥室と外室の間に配置された採取手段とを備えることを特徴とする樹水の取得方法、にかかるものである。
【００１１】
本発明において、パネル体は、木製の板面で内側面と外側面を構成すると共に、内側面と外側面の間にダンボール材を隙間なく積層し、内側面と外側面の間に生じる水分を吸収、伝達し、乾燥室内の水分を外部へ放出して木材の乾燥と共に、パネル体の乾燥回復を為し得るよう構成されることが好ましい。
【００１２】
本発明は、木材を低温乾燥装置により乾燥して取得される樹水であって、
前記低温乾燥装置は、木材を搬入し得る乾燥室と、該乾燥室を低温で乾燥可能な温度に加熱する加熱手段と、前記乾燥室内へ熱風を送風する送風手段と、前記乾燥室の側面を構成すると共に木製の板面を用いて木の材質の調湿性により乾燥室内の水分を外部へ放出し得るパネル体と、前記乾燥室を取り囲む外室と、外部へ放出された水分を採取するよう前記乾燥室と外室の間に配置された採取手段とを備え、
前記採取手段で採取された水分により構成されたことを特徴とする樹水、にかかるものである。
【００１３】
本発明は、木材を乾燥して生じる樹水に薬剤を加え、前記薬剤を木材に含浸させるよう作成されたことを特徴とする添加水、にかかるものである。
【００１４】
本発明は、木材を乾燥して生じる樹水に、薬剤を加えて作成する添加水により、薬剤を含浸させて構成されたことを特徴とする処理木材、にかかるものである。
【００１５】
本発明は、乾燥した木材に添加水を加えて加圧する含浸釜であって、内部への吹出口を備えて断続して内部に水圧をかけるよう構成されたことを特徴とする含浸釜、にかかるものである。
【発明の効果】
【００１６】
本発明によれば、乾燥した木材に加える添加水は、木材の乾燥により生じた樹水を用いるので、添加水による木材への浸透を容易にし、水道水等の他の水に比べて好適に薬剤処理することができる。又、木材に薬剤を含浸させるので、木材の特性である調湿性を維持することができる。更に、処理木材は、木材の内部まで薬剤処理されるので、薬剤の効果を好適に生じさせることができる。更に又、含浸釜により内部の木材に断続して水圧をかけるので、添加水による木材への含浸を好適にすることができるという優れた効果を奏し得る。
【発明を実施するための最良の形態】
【００１７】
以下、本発明の実施の形態を図面を参照して説明する。
【００１８】
図１〜図８は本発明の実施の形態例である。
【００１９】
本発明の木材の処理方法の形態例は、図１に示す如く、板状の木材を乾燥する工程（ステップＳ１）と、乾燥した木材を取得する工程（ステップＳ２）と、木材から生じる樹水を取得する工程（ステップＳ３）と、樹水に薬剤を加えて添加水を作成する工程（ステップＳ４）と、乾燥した木材を含浸釜に入れて圧を増減する工程（ステップＳ５、Ｓ６）と、添加水を加えて加圧する工程（ステップＳ７〜Ｓ９）と、木材を乾燥させる工程（ステップＳ１０〜Ｓ１３）とを備えている。又、本発明の樹水の取得方法は、木材の処理方法に用いる低温乾燥装置で作成される工程を備えており、樹水の形態例は、木材の処理方法に用いる低温乾燥装置で作成されるものである。更に、本発明の添加水の形態例は、木材に使用し得るよう木材の処理方法（ステップＳ１〜Ｓ４）により作成されるものであり、本発明の処理木材の形態例は、木材の処理方法（ステップＳ１〜Ｓ１３）により作成されるものである。
【００２０】
板状の木材を乾燥する工程（ステップＳ１）では、後述する低温乾燥装置１を使用しており、所定の大きさの板状の木材を低温乾燥装置１の乾燥室５に搬入し、乾燥処理して木材の含水率を低減しており、乾燥後の含水率は少ない程良い。
【００２１】
乾燥した木材を取得する工程（ステップＳ２）では、乾燥した木材を低温乾燥装置１から取り出し、後の工程に備えている。
【００２２】
木材から生じる樹水を取得する工程（ステップＳ３）では、低温乾燥装置１で木材を乾燥する工程（ステップＳ１）において木材から生じる樹水を取得しており、この樹水は、樹液等の成分を含むものであると考えられる。ここで、乾燥する木材と、樹水とは、同一の木材から取得するものが最も好ましいが、夫々、別の木材から取得しても良い。
【００２３】
樹水に薬剤を加えて添加水を作成する工程（ステップＳ４）では、図２に示す如く、ヒータｈを備えた調整装置（調整槽）Ａに、木材から生じた樹水と、所定量の粉末の薬剤とを投入することにより、樹水に粉末の薬剤を６０℃前後で加えて添加水を作成する。ここで、粉末の薬剤は、天然物や化学合成の着色剤（例えば、衣類用着色剤）、第一リン酸アンモン・硫酸アンモニウム系薬剤の不燃剤、防虫剤等であり、添加水を作成する際には所望の薬剤を１つ選択しても良いし、複数の薬剤を選択して混合しても良い。
【００２４】
乾燥した木材を含浸釜に入れて圧を増減する工程（ステップＳ５、Ｓ６）では、図１、図２に示す如く、乾燥した木材を含浸釜Ｂに搬入し（ステップＳ５）、減圧用コンプレッサＰ２により、含浸釜Ｂの内部を減圧し、約１０分程度、木材を減圧処理し、次に、加圧用コンプレッサＰ１、エアー抜きバルブにより、含浸釜Ｂの内部を、常圧を介して加圧し、約１０分程度、木材を加圧処理する（ステップＳ６）。ここで、圧を増減する工程（ステップＳ６）では、減圧及び加圧による圧の増減を１回でも良いし、圧の増減を複数回繰り返しても良い。
【００２５】
添加水を加えて加圧する工程（ステップＳ７〜Ｓ９）では、含浸釜Ｂの内部を減圧し、調整装置Ａから含浸釜Ｂ内に、乾燥木材と添加水の合計容量が内容量の７０％前後になるまで添加水を注入し（ステップＳ７）、木材の内部に添加水を含浸させるよう、含浸釜Ｂの内部を、加圧用コンプレッサＰ１により４時間程、７〜１０気圧（約７０９〜１０１３ｋＰａ）に加圧し（ステップＳ８）、添加水を含浸した木材を含浸釜Ｂから取り出す（ステップＳ９）。ここで、含浸釜Ｂ内を加圧する際（ステップＳ８）には、加圧用コンプレッサＰ１及びエアー抜きバルブにより、常圧と加圧による圧の増減を繰り返して添加水の含浸性を高めても良い。又、含浸釜Ｂは、図３、図４に示す如く、タイマｔ付きの循環コンプレッサＰ３を備えた循環ラインを備え、内部から添加水を取り出して、木材を配置する木口（含浸釜Ｂの内部）に向け、循環コンプレッサＰ３を介して循環ラインの吹出口より断続して水圧をかけるようにしても良い（例えば１０分間隔）。更に、含浸した木材を含浸釜Ｂから取り出した場合には、含浸釜Ｂに残った添加水を、貯留槽Ｃへ移しており、貯留槽Ｃへ移した添加水は再利用することができる。更に又、貯留槽Ｃでは、添加水を濾過、濃度調整することができる。又、添加水を加えて薬剤を含浸させる乾燥木材は、樹水を生じた木材に限定されるものでなく、別の手段で乾燥した他の木材であっても良い。
【００２６】
続いて、木材を乾燥させる工程（ステップＳ１０〜Ｓ１３）では、添加水を含浸した木材を約４時間程度、水切りし（ステップＳ１０）、水切りした木材を低温乾燥装置１の乾燥室５に入れ（ステップＳ１１）、所定温度で、約１日、乾燥処理し（ステップＳ１２）、乾燥室５から処理木材を取り出している（ステップＳ１３）。なお、最後に木材を乾燥させる際には、低温乾燥装置１の代わりに他の乾燥装置を用いても良い。
【００２７】
ここで、木材の薬剤処理において、木材を乾燥して生じた樹水を用いた場合と、水道水を用いた場合とを比較すると、樹水に着色剤を加えた添加水の場合では、長さ１８２０ｍｍ、幅１３５ｍｍ、厚さ２０ｍｍの乾燥した板材を含浸釜Ｂ内に搬入し、含浸釜Ｂ内の圧を増減して木材に刺激を与えた後、含浸釜Ｂ内に添加水を注入して７気圧で４時間加圧し、満足できる着色の処理木材を得ることができた。一方、水道水に着色剤を同量で加えた比較水の場合では、同じ大きさの乾燥した板材を含浸釜Ｂ内に搬入し、含浸釜Ｂ内の圧を増減して同様に木材に刺激を与えた後、含浸釜Ｂ内に比較水を注入して７気圧で１２時間加圧しても、満足できる着色の処理木材を得ることができなかった。
【００２８】
このように、本発明の木材の処理方法を実施する形態例によれば、乾燥した木材に加える添加水は、木材の乾燥により生じた樹水を用いると共に、樹水の木材への含浸性が高いので、添加水による木材への浸透を容易し、水道水等の他の水に比べて好適に薬剤処理することができる。又、木材に薬剤を含浸させるので、木材の特性である調湿性を維持することができる。更に、乾燥した木材と、樹水とを同一の木材から取得し、元の木材に樹水を戻すよう、乾燥した木材に添加水を加えた場合には、添加水による木材への浸透を一層容易にし、水道水等の他の水に比べて極めて好適に薬剤処理することができる。更に又、樹水を再利用できるので、リサイクル率を高め、水資源の保護を図ることができる。
【００２９】
乾燥した木材に添加水を加える前に、圧を増減すると、乾燥した木材に刺激を与えるので、添加水による木材への浸透を容易にし、好適に薬剤処理することができる。又、圧の増減を複数回した場合には、乾燥した木材に好適に刺激を与えるので、添加水による木材への浸透を一層容易にし、極めて好適に薬剤処理することができる。又、乾燥した木材に添加水を加えた後に、圧を増減すると、含浸中の木材に刺激を与えるので、添加水による木材への浸透を容易にし、好適に薬剤処理することができる。更に、内部の木材に断続して水圧をかけた場合には、添加水による木材への含浸を好適にすることができる。
【００３０】
添加水を加えて含浸釜Ｂを加圧する際（ステップＳ８）に、常圧と加圧による圧の増減を繰り返すと、添加水の含浸性を高め、好適に薬剤処理することができる。又、薬剤を含浸させた木材を水切りし、乾燥処理を行うと、木材に含浸した薬剤を定着させるので、一層好適に薬剤処理することができる。
【００３１】
添加水を、樹水と粉末の薬剤とから作成すると、添加水の溶媒を樹水のみにするので、添加水による木材への浸透を極めて容易にし、好適に薬剤処理することができる。ここで、液体の薬剤を使用した場合には、液体の薬剤における液分（溶媒）が、樹水と異なる他の組成であるため、添加水による木材の含浸を阻害し、好ましくない。
【００３２】
薬剤を、着色剤及び／又は不燃剤にすると、木材から取得した樹水により、木材の内部まで着色剤及び／又は不燃剤を含浸させるので、木材を好適に着色処理もしくは不燃処理することができる。又、木材に着色剤を含浸させるので、木材の特性である調湿性を維持することができる。更に、薬剤を着色剤にした場合には、木材の内部まで着色するので、好適に発色させることができる。更に又、薬剤を不燃剤にした場合には、木材の内部まで不燃処理するので、不燃性を大幅に向上させることができる。
【００３３】
本発明の樹水を実施する形態例によれば、薬剤を加えて添加水を作成した場合には、木材への含浸性により薬剤を木材に含浸させるので、好適に木材を薬剤処理することができる。
【００３４】
本発明の添加水を実施する形態例によれば、樹水は木材への含浸性が高いので、木材への浸透を容易し、水道水等の他の水に比べて好適に木材を薬剤処理することができる。
【００３５】
本発明の処理木材を実施する形態例によれば、樹水に、薬剤を加えて作成する添加水により、木材の内部まで薬剤処理されるので、薬剤の効果を好適に生じさせることができる。又、薬剤を着色剤にした場合には、木材の内部まで着色するので、好適に発色させることができる。更に、薬剤を不燃剤にした場合には、木材の内部まで不燃処理するので、不燃性を大幅に向上させることができる。
【００３６】
本発明の含浸釜を実施する形態例によれば、内部の木材に断続して水圧をかけるので、添加水による木材への含浸を好適にすることができる。
【００３７】
次に、本発明の実施の形態例で木材を乾燥して樹水を取得する低温乾燥装置について図５〜図８を用いて説明する。
【００３８】
低温乾燥装置１は、台車２に積載した木材３を収納し得るよう開閉扉４を設けた乾燥室５を備え、乾燥室５の上部には、木製の仕切上面６を介して天井裏空間７を形成し、乾燥室５内の一側には、台車２の搬出入方向に沿うよう調整ダクト８を形成している。
【００３９】
天井裏空間７には、乾燥室５へ通じる吸込口９と、調整ダクト８へ通じる吹出口１０とを形成するよう、乾燥室５の幅方向へ向かって延在する複数のダクト部１１を配置しており、複数のダクト部１１の内部には、木材３の上方に位置するよう、夫々、ヒータ等の加熱手段１２と、加熱手段１２の上流側でダクト部１１内に設置される送風機等の送風手段１３と、加熱手段１２の下流側でダクト部１１内に配置されるセラミック体１４と、加熱手段１２の近傍に配置されて温度を検出する過昇防止センサ１５とを備え、加熱手段１２及び送風手段１３を駆動した際には、送風手段１３により乾燥室５内の空気を吸込口９よりダクト部１１へ吸引し、加熱手段１２で空気流を加熱して熱風にし、熱風をセラミック体１４に当てて遠赤外線を生じさせ、ダクト部１１の吹出口１０より調整ダクト８へ排出するようにしている。なお、図中、１３ａは送風手段１３のモータを示している。
【００４０】
調整ダクト８は、乾燥室５の側面に隣接して延在する木材の仕切側面（板面）１６と、仕切側面１６を両側で支持するよう上下方向の溝を備える支柱１７と、仕切側面１６の上下方向の間に所定位置（図５では上位置、中央位置、下方位置の三ケ所）で挟み込まれる複数の金網面１８とを備えており、熱風が調整ダクト８内にダクト部１１の吹出口１０より吹き出された際には、仕切側面１６と金網面１８の配置により熱風を下方へ誘導すると共に金網面１８により熱風を分散し、熱風を制御して乾燥室５内へ送風する。
【００４１】
乾燥室５の床面１９は、コンクリートの土台２０に木製の板面２１を敷き詰め、コンクリートから出る強アルカリ成分、薬剤成分、冷輻射を遮断するようにしており、板面２１の上面には、台車２の車輪２ａをガイドするガイドレール（図示せず）を、開閉扉４から乾燥室５の奥へ向かって配置している。なお、ガイドレール（図示せず）は、開閉扉４の手前で一部切られており、乾燥室５内の熱がガイドレール（図示せず）を通して外部へ漏れないようにしている。
【００４２】
乾燥室５の両側の側面は、木製の板面を用いたパネル体２３で構成されており、パネル体２３は、図７に示す如く、木製の板面で内側面（一方の板面）２４と外側面（他方の板面）２５を構成すると共に、内側面２４と外側面２５の間に複数枚のダンボール材２６を隙間なく積層しており、内側面２４の外面に水分が付着した際には、図８に示す如く、内側面２４と外側面２５の間に生じた水分を、内側面２４から、ダンボール材２６を介して、乾いた外側面２５へ水分を吸収、伝達し、乾燥室５内の水分を水蒸気として外部へ放出し得るようにしている。ここで、ダンボール材２６は、波型に形成された中芯２６ａと、中芯２６ａを保持するように中芯２６ａの両面に貼り合わせライナ２６ｂとから構成されると共に、複数枚を積層しており、これにより、水分を吸収し、伝達し、外部へ放出し、乾燥室５内が乾燥した際には回復するようになっており、同時に、断熱性を高めるようになっている。又、ダンボール材２６は、無機質の不燃剤を塗布して難燃処理されており、熱風等の昇温に耐られると共に、防虫防蟻効果も得られるようになっている。
【００４３】
ここで、パネル体２３は、低温乾燥装置１の側面に限定されるものでなく、天井面等の他の面に使用しても良く、更に、サウナの壁面や建築材等に適用しても良い。又、パネル体２３の木製の板面は、調湿性を有する無垢の木が好ましく、同時に、乾燥室５の仕切上面６、床面１９も、外部からの影響を低減するよう無垢の木が好ましい。
【００４４】
乾燥室５の調整ダクト８側の側面は、図５、図６に示す如く、前方及び奥方に照明手段２８を配置すると共に、中央に室温センサ２９を設置し、室温センサ２９から制御盤４１へデータを送って乾燥室５内の温度管理をするようにしている。ダクト部１１の吸込口９の隣接位置には、給気ファン３０ａを備えた流入口３０を設け、照明手段２８及び流入口３０の下方位置には、所定口径の排出口３１を備えている。又、側面の外側には、過昇防止センサ１５と連結した過昇防止温度調整器３２を配置して過昇温度の設定を行い、温度の異常昇温の際は、データを送って制御盤４１の電源が強制的に遮断され、乾燥室５内の温度制御と共に過昇防止により二重の安全管理を行っている。
【００４５】
乾燥室５の天井裏空間７を形成する側面は、乾燥室５の側面から連なるよう、外側面２５及び内側面２４を備えると共に、外側面２５及び内側面２４の間にダンボール材２６を隙間なく積層しており、乾燥室５の天井裏空間７を形成する頂部面は、一枚の木製の板面３４により構成されている。ここで、一枚の木製の板面３４からなる頂部面には、機器の点検口（図示せず）を構成しても良い。又、頂部面は、一枚の板面３４の代わりに、二枚の板面の間に複数のダンボール材を隙間なく積層したパネル体でも良い。
【００４６】
一方、乾燥室５の外方には、乾燥室５の外部環境を調整し得るよう乾燥室５を取り囲む断熱保温壁の外室３５を設けており、外室３５は、乾燥室５の開閉扉４側に対抗する前方面に、シャッタ等の開閉部３６及び換気用のファン３７を設け、乾燥室５の奥側に位置する側方面及び奥方面には、複数の給気口３８を配置している。又、乾燥室５の側面と外室３５の側方面との間には複数の除湿器等の除湿手段（採取手段）（図６では４つ）３９を夫々配置し、木材３から乾燥室５を介して樹水を取得し得るようにしている。
【００４７】
以下、低温乾燥装置の作用を説明する。
【００４８】
木材３を乾燥する際には、台車２に積載した木材３を搬入して外室３５の開閉部３６を降ろすと共に乾燥室５の開閉扉４を閉め、加熱手段１２及び送風手段１３を駆動して乾燥室５内を４０〜５０℃、好ましくは４２℃〜４５℃に昇温し、最初の乾燥時には、乾燥室５の外気（外室３５内の空気）を流入口３０の給気ファン３０ａにより乾燥室５内へ取り込んで、外気を直接、木材３に当てないよう、送風手段１３によりダクト部１１内へ取り込み、加熱手段１２で加熱して熱風にすると共にセラミック体１４により遠赤外線を含んだ状態にして調整ダクト８内へ排出し、熱風を調整ダクト８内から仕切側面１６及び金網面１８により振り分けて乾燥室５へ送風し、乾燥室５内では熱風を循環させると共に、湿った重い空気を排出口３１より乾燥室５の外部へ排出する。
【００４９】
次に、時間経過に伴い、乾燥室５内の湿度が少なくなった場合には、流入口３０の給気ファン３０ａを止めると共に加熱手段１２及び送風手段１３の駆動を維持し、ダクト部１１及び調整ダクト８を介して、遠赤外線を含んだ熱風を乾燥室５内で循環させ、木材３を最終的に乾燥させる。
【００５０】
この時、乾燥室５内を循環する熱風は、木材３から生じた水分や乾燥室５内に存在する水分を内側面２４に付着させ、木の材質の調湿性及びダンボール材２６の吸収性・伝達性・放出性・回復性により、水分を、内側面２４、ダンボール材２６、外側面２５の順に伝達して外側面２５の外部へ水蒸気として排出し、除湿手段（採取手段）３９では、水蒸気を、木材３から生じた樹水として取得する。
【００５１】
このように、本発明の樹水の取得方法を実施する形態例によれば、低温乾燥装置１により、パネル体２３の木の調湿性を用いて水分を排出するので、除湿手段（採取手段）３９で水分を樹水として容易に取得することができる。又、加熱手段１２及び送風手段１３により熱風を乾燥室５内で木材３の周囲に循環させるので、熱風をムラなく木材３に行き渡らせ、木材３を好適に乾燥させると共に、乾燥時間を短縮することができる。更に又、パネル体２３の木の調湿性を用いて木材３の水分を排出するので、木材３に過剰な負荷をかけることなく、好適に乾燥処理することができる。又、乾燥室５外の環境を調整するよう乾燥室５を取り囲む外室３５を備えるので、乾燥室５から生じた水分、木材３から樹水を極めて容易に取得することができる。
【００５２】
パネル体２３は、木製の板面で内側面（一方の板面）２４と外側面（他方の板面)２５を構成すると共に、内側面２４と外側面２５の間にダンボール材２６を隙間なく積層し、内側面２４と外側面２５の間に水分を溜めることなく乾燥室５内の水分を外部へ放出し得るよう構成されると、パネル体２３の木の材質の調湿性及びダンボール材２６の吸収性・伝達性・放出性・回復性を用いて水分を排出するので、木材３の乾燥時間を一層短縮すると共に、除湿手段（採取手段）３９により樹水を容易に取得することができる。又、ダンボール材２６の保温性を利用して乾燥室５内の温度低下を抑制することができる。ここで、内側面２４と外側面２５の間に配置するダンボール材２６は、複数の薄いダンボール材２６を積層した場合が、吸収性・伝達性・放出性・回復性及び保温性を好適に高めることができる。
【００５３】
乾燥室５内へ送風する熱風を制御可能にするよう、側面のパネル体２３に隣接する調整ダクト８を備えると、水分を含んだ熱風をダクト部１１の吹出口１０から下方へ誘導して水分を側面のパネル体２３に十分に接触させるので、乾燥室５内の水分を効率的に外部へ放出し、木材３の乾燥時間を一層短縮することができると共に、除湿手段（採取手段）３９により樹水を容易に取得することができる。
【００５４】
乾燥室５は、側面の上部に外気を取り入れる流入口３０を備えると共に、側部の下部に、湿った重い空気を排出する排出口３１を備えると、流入口３０の位置により、外気を木材３に直接当てることを抑制するので、木材３にストレスを与えることなく、木材３を好適に乾燥させて樹水を容易に取得することができる。
【００５５】
尚、本発明の木材の処理方法、樹水の取得方法、樹水、添加水、処理木材、含浸釜は、上述の図示例にのみ限定されるものではなく、木材を乾燥して生じる樹水を木材の含浸に利用するならば、薬剤の種類や加圧・減圧、温度、時間の条件は特に限定されるものでないこと、採取手段は、放出された水分を樹水として取得するならば除湿手段の構成に限定されるものではないこと、その他、本発明の要旨を逸脱しない範囲内において種々変更を加え得ることは勿論である。
【図面の簡単な説明】
【００５６】
【図１】本発明を実施する形態例を示すフローである。
【図２】本発明を実施する形態例において調整装置と含浸釜の構成を示す概念図である。
【図３】本発明を実施する形態例の含浸釜の側方面を示す概念図である。
【図４】本発明を実施する形態例の含浸釜の後方面を示す概念図である。
【図５】本発明を実施する形態例に使用される低温乾燥装置の構成を示す正面図である。
【図６】本発明を実施する形態例に使用される低温乾燥装置の構成を示す平面図である。
【図７】低温乾燥装置のパネル体の構造を示す断面図である。
【図８】パネル体により水分を外部へ放出する状態を示す概念図である。
【符号の説明】
【００５７】
１  低温乾燥装置
３  木材
５  乾燥室
１２  加熱手段
１３  送風手段
２３  パネル体
２４  内側面
２５  外側面
２６  ダンボール材
３５  外室
３９  除湿手段（採取手段）
Ｂ  含浸釜
【図１】
2007045053.tif 000003
【図２】
2007045053.tif 000004
【図３】
2007045053.tif 000005
【図４】
2007045053.tif 000006
【図５】
2007045053.tif 000007
【図６】
2007045053.tif 000008
【図７】
2007045053.tif 000009
【図８】
2007045053.tif 000010